(57)【要約】 【課題】簡単な構成でありながら、効率良く電解水を生成することができ、家庭やオフィスで水素を含有する電解還元水を手軽に利用できる電解還元水生成機能を有するポットを提供する。【解決手段】外容器１内に収納した高熱伝導性素材からなる内容器２の内外面に冷却部３および放熱部４をそれぞれ設け、かつ当該内容器２の底部２ｂから外容器１の注水口１０に至る間に設けた注水パイプ８に注水ポンプ７を接続して構成される冷水器５において、上記内容器２の内面に陽極部１２を取り付ける一方、注水パイプ８に陰極部１３を内装し、当該両極部１２、１３間における電気分解作用で電解還元水を生成するようにした。【選択図】図１
2007283258.tif 000002
【特許請求の範囲】
【請求項１】
貯水槽と、注水口と、貯水槽と注水口とを連通させる注水路と、陽極部及び陰極部を含む電解水生成手段と、を備えた電解水生成ポットであって、
前記陽極部を前記貯水槽に設ける一方、前記陰極部を前記注水路に設けたことを特徴とする電解水生成ポット。
【請求項２】
前記電解水生成ポットは注水用ポンプを含み、前記電解水生成手段は通電制御手段を含み、前記通電制御手段は、前記注水用ポンプの作動時にのみ通電を行って電解水を生成する、請求項１に記載の電解水生成ポット。
【請求項３】
冷却手段を備えた、請求項１、２いずれかに記載の電解水生成ポット。
【発明の詳細な説明】
【技術分野】
【０００１】
本発明は、電解水生成ポットに係り、詳しくは、家庭やオフィスで電解還元水（水素含有水）を手軽に利用することができるポットに関するものである。
【背景技術】
【０００２】
水道水等を電解処理することで電解水が得られることが知られている。電解質を含む水（カルシウムイオン等の所定の添加物を付加した原水が例示される）を電気分解することで、陰極側には電解還元水（溶存水素が多い）が、陽極側には電解酸化水（溶存酸素が多い）が生成される。
【０００３】
特に、電解還元水は、それ自身が備えているアルカリ性ｐHから体（特に胃腸）に良い効果を有することが知られている。さらには、水素は強い還元力を有することから、電解還元水に溶存する水素の還元活性の効果も着目されている。例えば、特許文献１、特許文献２には、電解還元水中の溶存水素の還元力に着目した技術が開示されている。
【０００４】
電解還元水生成の基本的な構成は既知であって、例えば、特許文献１乃至特許文献６に記載されている。
【０００５】
しかしながら、従来の電解水生成装置は、構造が比較的複雑なものが多かった。また、水素は水との親和性が小さいため、水に対する溶解度が低く（常温２０度で１００ｃｃの水に０.１６ｍｇ）、また水素水を放置すると溶存水素は空気中に逃散して水素水の水素含有量は急速に低下する。このため、簡単な構成でありながら、効率良く電解水を生成することができる電解水生成装置が望まれていた。
【特許文献１】特許第３４０８３９４号
【特許文献２】特許第３４４４８４９号
【特許文献３】特開昭６３−２４８４９４号
【特許文献４】特開平５−３４５１８２号
【特許文献５】特開２００２−２５４０７８号
【特許文献６】特開２００５−１４４３９８号
【発明の開示】
【発明が解決しようとする課題】
【０００６】
本発明は叙上のような実状に鑑み、簡単な構成でありながら、効率良く電解水を生成することができ、家庭やオフィスで水素を含有する電解還元水を手軽に利用できる電解還元水生成機能を有するポットを提供することを目的とする。
【課題を解決するための手段】
【０００７】
上記課題を解決するため、本発明が採用した技術手段は、貯水槽と、注水口と、貯水槽と注水口とを連通させる注水路と、陽極部及び陰極部を含む電解水生成手段と、を備えた電解水生成ポットであって、前記陽極部を前記貯水槽に設ける一方、前記陰極部を前記注水路に設けたことを特徴とするものである。後述する第１実施例では、ポットは、外容器と、内容器と、内容器の底部から外容器の注水口に至る間に設けた注水パイプと、注水パイプに設けた注水ポンプと、から構成されており、内容器の内面に陽極部を取り付ける一方、注水パイプの立ち上がり部に陰極部を内装している。後述する第２実施例では、内容器の内面に陽極部を取り付ける一方、注水パイプの取水口から注水ポンプに至る間に陰極部を内装している。
【０００８】
１つの好ましい態様では、前記電解水生成ポットは注水用ポンプを含み、前記電解水生成手段は通電制御手段を含み、前記通電制御手段は、前記注水用ポンプの作動時にのみ通電を行って電解水を生成する。例えば、通電のための電気回路を、注水ポンプの作動時のみ回路動作状態に切り替わるように構成する。こうすることで、生成された電解還元水を直ぐに利用に供するため効率が良い。
【０００９】
本発明に係るポットは、単に貯水機能のみ、あるいは、貯水槽を包囲する断熱手段、を備えているものでもよいが、１つの好ましい態様では、当該ポットは、冷却手段を備えている。冷却手段は限定されず、例えば、圧縮機、気化器等から構成され、冷媒の気化潜熱を利用するものでもよいが、１つの好ましい態様では、冷却手段はペルチェ素子を用いた冷却手段である。この場合、冷却手段の冷却部は貯水槽内側、放熱部は貯水槽の外側に、それぞれ配設するのがよいが、放熱部を貯水槽の内側に設けてもよい。水素の水に対する溶解度は水が低温であるほど大きく、また、水素の散逸を少なくすることができるので、本発明に係るポットに冷却手段を採用することは有用である。尚、本発明に係るポットに、加熱手段を設けても良い。ポットに採用されるヒータ等の加熱手段は当業者において周知であるので、具体的な構成の詳述は省略する。冷却手段と加熱手段の両方を備えた場合には、例えば、冷温切替スイッチで冷水または温水の切り替え設定を行うように構成し、必要に応じて温度調節部による温度設定を行うことができる。
【発明の効果】
【００１０】
本発明によれば、従来のポットと同様の使い勝手で、家庭やオフィスにおいて電解還元水を手軽に利用することができる。水素を含有する電解還元水が生成される陰極を、より注水口に近い部位に設けることで、効率良く電解還元水を生成・利用することができる。
【実施例１】
【００１１】
本発明の構成を添付図面に基づいて詳細に説明する。図１は卓上ポットの全体断面図、図２は他の構成を示す全体断面図である。図において、１はステンレス製の外容器であって、該外容器１内には、高熱伝導性のアルミニウム素材からなる円筒状の側壁部２ａと円形の底部２ｂを一体形成した内容器２が収納されており、内容器２によって貯水槽が形成されている。卓上ポットは、さらに、冷却手段を備えている。冷却手段は１つの好ましい形態では、ペルチェ素子から構成されており、内容器２の側壁部２ａには、底部２ｂの近傍に位置して内面側に冷却部３、外面側に放熱部４がそれぞれ設けられており、ペルチェ素子に通電を行うことで、内容器２に貯留した水道水、ミネラルウォーターなどの電解質を含んだ水を冷却することができる。
【００１２】
内容器２の底部２ｂには取水口６が形成されており、この取水口６に、注水ポンプ７を介装した注水パイプ８を接続し、注水ボタン９の押圧操作で外容器１の上部に設けた注水口１０から内容器２内の水を吐出するようになっている。１１は内容器２を開放、閉鎖する上下開閉自在な蓋である。
【００１３】
内容器２の側壁部２ａには、底部２ｂの近傍に位置して陽極部１２が配設されており、注水パイプ８の立上り部位８ａには陰極部１３が内装されている。通電制御手段によって、陽極部１２、陰極部１３に通電することで、水の電解分解を行って電解還元水を生成する。１つの態様では、通電制御手段は、内容器２内の貯留水に対する電気分解作用を、注水ポンプの作動時、すなわち注水ボタン９の押圧操作が継続して行われている間にのみ行うように構成されている。
【００１４】
本発明は、叙上のように構成されているから、電解還元水を生成して利用する場合に、まず蓋１１を開放して水道水、ミネラルウォーターなどを内容器２に入れ、図示しないスイッチで冷却手段を作動させ、貯水槽に貯水された水を所定温度まで冷却する。
【００１５】
内容器２内の水温が所定温度に達したら、注水ボタン９を押圧操作して注水口１０から冷水を取り出せば良い。この時、注水ポンプ７が作動している期間のみ、陽極部１２と陰極部１３の電気分解作用を行う回路部（図示せず）が通電状態となり、取水口６から注水ポンプ７を経て注水パイプ８の立上り部位８ａに至るパイプ部位の水に対して電気分解作用が行われ、電解還元水が生成されながら注水口１０から取り出されることになるが、この電気分解作用で陽極部１２側の近傍に酸素が発生して、水中に酸化性物質を生成したり、水素によって還元された酸化性物質を再酸化するなどの好ましくない作用も同時に進行し得るが、この陽極部１２と陰極部１３による電気分解作用が行われている間は注水ポンプ７も作動しているので、常に取水口６から注水口１０に至る間で水の流動があるため、上述のような弊害が発生することはない。
【００１６】
なお、上記本発明の構成で、内容器２の容量２０００ｍｌ、注水ポンプ７の取水能力２４００ｍｌ／ｍｉｎ、陽極部１２の面積１００ｃｍ２、注水パイプ８に内装した陰極部１３を長さ２０ｃｍで内径１ｃｍと設定して、両極部１２、１３間に２０Ｖを印可した際に、０.３Ａの電流が流れて水素０.０７５ｇ／ｍｉｎが発生することが知見された。 
【００１７】
図２は、本発明の他の構成を示すものであって、冷却手段の放熱部１５を陽極部１４に近接させてあると共に、取水口６から注水ポンプ７に至る間に陰極部１７を介装した点において、第１の実施例と異なる。放熱部１５を陽極部１４に近接させることで、陽極部１４で生成される酸素を除去する効果がある。同一の部材については、図１、図２間で同一の参照番号が付してあり、同一の部材に係る説明については、第１の実施例に係る記載を援用することができるため、ここでは詳述は省略する。
【産業上の利用可能性】
【００１８】
本発明は、電解還元水生成ポットとして利用可能である。
【図面の簡単な説明】
【００１９】
【図１】卓上ポットの全体断面図である。
【図２】卓上ポットの他の構成の全体断面図である。
【符号の説明】
【００２０】
１    外容器 
２    内容器 
２ｂ  底部 
３    冷却部 
４    放熱部 
５    冷温水器 
７    注水ポンプ 
８    注水パイプ 
１０  注水口 
１２  陽極部 
１３  陰極部 
【図１】
2007283258.tif 000003
【図２】
2007283258.tif 000004